(57)【要約】      （修正有）【課題】回転胴に軸方向に対して捩れの位置に設けた取付溝に替刃を装着することにより、切削騒音を小さくすると共に切削面の平滑度を良好にでき、しかも替刃の取り替えが容易な回転切削工具を提供する。【解決手段】回転切削工具１０は、円筒形で外周面の周方向複数個所にて軸方向に対して捩れて両端間に延びた取付溝２５を有する回転胴と、取付溝２５にスライド可能に装着された平板状の替刃とを有する複数の単位切削工具１１Ａ〜１１Ｃが、互いに同軸的に重ね合わされると共に、互いに隣接する単位切削工具の取付溝２５同士が取付溝２５の延長方向で重ならないように配置される。互いに隣接する一対の単位切削工具の内の少なくとも一方の単位切削工具の外周面の軸方向両端間には、他方の単位切削工具に設けた取付溝２５の延長方向に延びた替刃を受け入れ可能な交換溝５１を設けた。【選択図】図１
2008284791.tif 000002
【特許請求の範囲】
【請求項１】
円筒形でその外周面の周方向複数個所には軸方向に対して捩れて両端間に延びた取付溝を有する回転胴と、該取付溝に装着された平板状の替刃とを有する複数の単位切削工具が、互いに同軸的に重ね合わされると共に、互いに隣接する該単位切削工具の前記取付溝同士が該取付溝の延長方向で重ならないように配置された回転切削工具であり、互いに隣接する一対の前記単位切削工具の内の少なくとも一方の単位切削工具の外周面の軸方向両端間には、他方の単位切削工具に設けた前記取付溝の延長方向に延びた前記替刃を受け入れ可能な交換溝を設けたことを特徴とする回転切削工具。
【請求項２】
前記回転胴の軸方向端部は、前記取付溝を挟んだ周方向の所定範囲が軸方向にわずかに突出した突出部となっており、該突出部同士の間が相対的に凹んだ凹み部となっていることを特徴とする請求項１に記載の回転切削工具。
【請求項３】
前記替刃の端部は、他の部分より切削半径がわずかに小さくなるように切削刃が形成されていることを特徴とする請求項２に記載の回転切削工具。
【発明の詳細な説明】
【技術分野】
【０００１】
本発明は、木材、木質系材料、プラスチックあるいは金属等の加工に使用される替刃タイプの回転切削工具に係り、特に回転駆動装置の回転主軸に対して捩れの位置に替刃が装着されている回転切削工具に関する。
【背景技術】
【０００２】
従来、この種の回転切削工具としては、特許文献１に示すように、円筒形の回転胴の外周面にて周方向複数個所に軸方向に対して捩れた取付溝を有し、取付溝に板状の替刃が取付溝に沿ってスライド可能に装着されたものが開示されている。このように、替刃を回転胴の軸方向に対して捩れた方向に配置することにより、切削時の切削抵抗や切削騒音を低減でき、さらに切削面の平滑度を向上させる効果が得られる。この回転切削工具は、替刃の取付溝への装着の容易性と取付精度を高めるため、替刃に長手方向の溝を設け、刃体押さえ金に設けた取付溝の長手方向に伸びた凸条を嵌め合わせることにより、回転に伴う遠心力によって外方に飛び出さないように回転胴に取り付ける構造になっている。そのために、替刃の交換は、遠心力によって固定された替刃の固定を解除し、替刃を取付溝に沿ってスライドさせることにより、回転胴の側面側から取り外されるようになっている。
【特許文献１】特許第２５１５１９６号公報
【０００３】
しかし、上記従来の技術によれば、一度の切削で広い範囲の切削を行うために回転胴の長さを長くすると、板状の替刃の捩れ角を小さくしなければならず、それでは、切削時の切削抵抗や切削騒音を低減させ、切削面の平滑度を向上させる効果が得られなくなる。それに対して、替刃の捩れ角を大きくすると、回転胴の長さを短くしなければならず、一度の切削で広い範囲の切削を行いたいという要求に応えることができない。
【発明の開示】
【発明が解決しようとする課題】
【０００４】
本発明は、上記問題を解決しようとするもので、回転胴に軸方向に対して捩れの位置に設けた取付溝に替刃を装着することにより、切削騒音を小さくすると共に切削面の平滑度を良好にでき、しかも替刃の取り替えが容易な回転切削工具を提供することを目的とする。
【課題を解決するための手段】
【０００５】
上記目的を達成するために本発明の構成上の特徴は、円筒形でその外周面の周方向複数個所には軸方向に対して捩れて両端間に延びた取付溝を有する回転胴と、取付溝に装着された平板状の替刃とを有する複数の単位切削工具が、互いに同軸的に重ね合わされると共に、互いに隣接する単位切削工具の取付溝同士が取付溝の延長方向で重ならないように配置された回転切削工具であり、互いに隣接する一対の単位切削工具の内の少なくとも一方の単位切削工具の外周面の軸方向両端間には、他方の単位切削工具に設けた取付溝の延長方向に延びた替刃を受け入れ可能な交換溝を設けたことにある。
【０００６】
上記のように構成した発明においては、回転切削工具は複数の単位切削工具を互いに同軸的に重ね合わせて形成されるものであり、そのために単位切削工具の軸方向長さを短くしても、回転切削工具の全長を長くすることができる。その結果、本発明においては、長さの短い平板状の替刃を用いても各単位切削工具の取付溝の捩れを大きくとることができるので、全長の長い回転切削工具でも、切削の際の切削抵抗や切削騒音を小さくできると共に切削面の平滑度を良好にすることができる。また、複数の単位切削工具を軸方向に重ね合わせることにより回転切削工具が形成されるので、１回の切削による切削面積の大きさに応じて単位切削工具の数を変えることにより、回転切削工具の全長を自由に調節することができる。また、替刃は、長さが短いほど簡易に製造でき、安価に提供されるので、全長の長い回転切削工具に複数の替刃を用いても、一本の長い替刃を用いる場合に比べて替刃の価格を相対的に安価にすることができる。
【０００７】
さらに、本発明においては、互いに隣接する一対の単位切削工具の内の少なくとも一方の単位切削工具の外周面の軸方向両端間には、他方の単位切削工具に設けた取付溝の延長方向に延びた替刃を受け入れ可能な交換溝を設けたことにより、替刃の交換時に、回転駆動装置の回転主軸から複数の単位切削工具を一々取り外すことなく、回転駆動装置に回転切削工具を取り付けたままで替刃の交換を行うことができる。すなわち、替刃を取付溝に沿ってスライドさせて、取付溝に続く交換溝に移動させることにより、替刃を交換溝にて径方向外側から簡単に取り外すことができる。その結果、本発明においては、替刃の交換を単位切削工具を一々取り外して行う必要がないので、替刃交換の手間が大幅に低減する。
【０００８】
また、本発明において、回転胴の軸方向端部は、取付溝を挟んだ周方向の所定範囲が軸方向にわずかに突出した突出部となっており、突出部同士の間が相対的に凹んだ凹み部となっていてもよい。これにより、隣接する各単位切削工具は、突出部と凹み部を組み合わせて重ね合わせることができ、そのため、軸方向端部で両単位切削工具の替刃の端部の重なり部分を設けることができるので、切削の連続性を確保することができる。
【０００９】
さらに、本発明において、替刃の端部は、他の部分より切削半径がわずかに小さくなるように切削刃が形成されていてもよい。これにより、隣接する各単位切削工具の替刃同士の境界がスムーズに繋げられ、被削材の切削面に無用の筋が生じる不具合が避けられる。
【発明の効果】
【００１０】
本発明によれば、回転切削工具は複数の単位切削工具を互いに同軸的に重ね合わせて形成されるもので単位切削工具の軸方向長さを短くできるので、長さの短い平板状の替刃を用いても取付溝の捩れを大きくとることができ、全長の長い回転切削工具でも、切削の際の切削抵抗や切削騒音を小さくできると共に切削面の平滑度を良好にすることができ、また、１回の切削による切削面積の大きさに応じて回転切削工具の長さを自由に調節することができる。また、本発明においては、替刃は、長さが短いほど簡易に製造でき、安価に提供されるので、全長の長い回転切削工具に複数の替刃を用いても替刃の価格を相対的に安価にすることができる。さらに、本発明においては、互いに隣接する一対の単位切削工具の内の少なくとも一方の単位切削工具の外周面の軸方向両端間に、他方の単位切削工具に設けた取付溝の延長方向に延びた交換溝を設けたことにより、替刃の交換時に回転切削工具の各単位切削工具を一々取り外すことなく回転駆動装置の回転主軸に取り付けたままで替刃の交換を行うことができるので、替刃交換の手間が大幅に低減する。
【発明を実施するための最良の形態】
【００１１】
以下、本発明の一実施形態を図面を用いて説明する。図１、図２は、実施例に係る回転切削工具を斜視図及び正面図により示したものである。図３〜図７は、回転切削工具を構成する一端側の基準となる単位切削工具（以下、基準切削工具と記す）を正面図、左側面図、右側面図、左側から見た斜視図及び右側から見た斜視図により示し、図８は単位切削工具の替刃の取付部分を拡大した側面図により示したものである。図９〜図１３は、替刃を正面図、平面図、斜視図及び断面図により示したものである。図１４〜図１８は、中間に配置される単位切削工具（以下、中間切削工具と記す）を正面図、左側面図、右側面図、左側から見た斜視図及び右側から見た斜視図により示したものである。図１９〜図２３は、他端側に配置される単位切削工具（以下、他端切削工具と記す）を正面図、左側面図、右側面図、左側から見た斜視図及び右側から見た斜視図により示したものである。
【００１２】
回転切削工具１０は、３種類の異なる単位切削工具である基準切削工具１１Ａと、２つの中間切削工具１１Ｂと、他端切削工具１１Ｃとを順次互いに同軸的に重ね合わせて構成されている。基準切削工具１１Ａは、円筒形状で中心軸孔１３を有する回転胴１２Ａを設けており、回転胴１２Ａの外周の周方向に等間隔な３箇所に軸方向に対して略３０°傾斜して捩れた替刃３１が装着される径方向に凹んだ３本の取付溝２５を設けている。また、回転胴１２Ａの軸方向一端面１４（図３の左側）は平坦面であり、軸孔１３を囲んだ近傍領域に端面からわずかに突出した円環状のボス部１５を設けている。
【００１３】
ボス部１５には環状の薄板である止め板１６が回動可能に嵌め合わされている。止め板１６は、外径が取付溝２５の後述する底壁２８位置より大きくなっており、取付溝２５に挿嵌された後述する替刃３１、裏座３６及び遠心固定板４１の回転胴１２Ａからの抜け止めとして設けられたものである。また、止め板１６の外周には、周方向の等間隔な３箇所に円弧状に切りかかれた凹み１７を設けている。凹み１７は、取付溝２５の底壁２８より軸心側に凹んでおり、替刃３１の回転胴１２Ａ一端面１４側から取付溝２５への挿入の妨げにならないようになっている。さらに、止め板１６には、凹み１７より外径の小さい円環状の薄板である押え板１８が重ね合わされている。押え板１８を重ねた状態で止め板１６は軸心を中心に回動可能であり、押え板１８をボルト１９で止めることにより、止め板１６と押え板１８は一体で回転胴１２Ａに固定される。
【００１４】
また、回転胴１２Ａの軸方向他端面２１（図３の右側）は平坦面であり、軸孔１３を囲んでわずかに突出した円環状のボス部２２が設けられている。さらに、他端面２１には、３本の取付溝２５を挟んで周方向両側に中心角６０°の範囲でかつボス部２２から径方向にわずかに離間した位置と外周縁との間の領域において、わずかに突出した扇形の突出部２３がそれぞれ設けられている。突出部２３の突出高さはボス部２２よりわずかに高くなっており、各突出部２３の間は、突出部２３に対して相対的に凹んだ扇形の凹み部２４になっている。
【００１５】
取付溝２５は、図８に示すように、軸直角断面が概略四角形で、互いに対向する第１側壁２６及び第２側壁２７と、第１及び第２側壁２６,２７を軸心側で繋ぐ底壁２８とを備えている。取付溝２５の回転胴１２Ａの軸方向に対する捩れ角度については、４５°程度までの大きな角度にすることができる。第１側壁２６は、取付溝２５の径方向外方に開く開口２９が狭くなる方向に傾斜しており、替刃３１が当接する当接面２６ａとなり、底壁２８近傍部分が周方向に凹んで後述する裏座３６の嵌合凸部３９が挿嵌される挿嵌凹部２６ｂとなっている。第２側壁２７は、開口２９が狭くなる方向に傾斜しており、後述する遠心固定板４１の反対面４３が当接するようになっている。なお、回転胴１２Ａの外周面には、各取付溝２５に対して回転方向に略４０°離れて取付溝２５に略平行に両端間を延びた３本の交換溝５１を設けているが、これについては溝加工の都合で設けたものであり、本実施例では替刃３１の交換には用いられないので、省くことができる。
【００１６】
替刃３１は、図９〜図１３に示すように、取付溝２５と長さが等しく、幅方向両側の稜線がそれぞれ幅方向外方に緩やかな円弧状に膨らんだ一対の切刃３２になっており、方向を変えて両側の切刃３２を使用可能である。切刃３２の逃げ面３２ａは、回転胴１２Ａの外周に沿って逃げ角が一定もしくは一定に近くなるように、長手方向に滑らかに連続して傾斜角が変わる傾斜面になるように研削して形成されている。替刃３１の正面側は、各切刃３２の近傍位置に、切刃３２に沿って長手方向両端間に延びた一対の線状突起３３が設けられている。線状突起３３は、幅方向外側縁が切刃３２に沿って円弧状曲線で、幅方向内側縁が直線になっており、内側縁間がストレートな係合溝３４になっている。また、替刃３１の裏面３５は平坦面になっている。
【００１７】
裏座３６は、取付溝２５と同一長さの棒状の部材であり、底壁２８に載置され、片面３６ａが遠心固定板４１の一側面４２に密着し、反対面側３６ｂは凹凸形状であって取付溝２５の開口２９側から順に係合凸部３７、中間凸部３８、嵌合凸部３９を設けている。裏座３６は、第１側壁２６に押し付けられた状態で、係合凸部３７が替刃３１の係合溝３４に嵌合され、中間凸部３８が第１側壁２６に当接し、嵌合凸部３９は挿嵌凹部２６ｂ内に嵌め合わされる。遠心固定板４１は、取付溝２５と同一長さの四角形状棒状の部材であり、一側面４２が裏座３６の片面３６ａに密着し、反対面４３が取付溝２５の第２側壁２７に密着し、底面４４が取付溝２５の底壁２８との間に隙間を設けて配置されており、底壁２８に配設されたバネ材４６により径方向外方に向けて付勢されている。
【００１８】
中間切削工具１１Ｂは、基準切削工具１１Ａと略同一構造で外周面に３本の取付溝２５を有する回転胴１２Ｂを設けている。回転胴１２Ｂは、軸方向の両端面１４ｂ，２１ｂが共に基準切削工具１１Ａの他端面２１と同様に３本の取付溝２５を挟んで周方向両側に中心角６０°の範囲でわずかに突出した扇形の突出部２３を設けている。そして、回転胴１２Ｂの外周面には、各取付溝２５に対して回転方向に略４０°離れて取付溝２５に略平行に両端間を延びた３本の交換溝５１を設けている。交換溝５１は、替刃３１の交換のために設けられたものであり、替刃３１を収容できる周方法の幅と径方向の深さを有する断面円弧形状の溝であり、軸方向一端から他端にかけて幅、深さ共に連続して小さくなるようにされている。また、各取付溝２５に対して逆回転方向に略４０°離れて軸方向一端から取付溝２５に略平行にわずかに延びた３本の延長交換溝５２を設けている。
【００１９】
他端切削工具１１Ｃは、基準切削工具１１Ａと同一構造の回転胴１２Ｃを設けており、軸方の一端面１４ｃが基準切削工具１１Ａの他端面と同様に３本の取付溝２５を挟んで周方向両側に中心角６０°の範囲でわずかに突出した扇形の突出部２３を設けており、軸方向の他端面２１ｃが基準切削工具１１Ａの一端面側と同様に止め板１６と押え板１８が取り付けられている。さらに回転胴１２Ｃには、上記中間切削工具１１Ｂと同様に、各取付溝２５に対して回転方向に略４０°離れて取付溝２５に略平行に両端間を延びた３本の交換溝５１を設け、各取付溝２５に対して逆回転方向に略４０°離れて一端から取付溝２５に略平行にわずかに延びた３本の補助となる延長交換溝５２を設けている。
【００２０】
回転切削工具１０の組み立てについては、基準切削工具１１Ａの他端と中間切削工具１１Ｂの一端とを、それぞれの突出部２３と凹み部２４を合わせて嵌め合わせることにより、両者が位置合せされた状態で連結される。さらに、中間切削工具１１Ｂ同士を連結させ、２つ目の中間切削工具１１Ｂに他端切削工具１１Ｃを連結させることにより、回転切削工具１０が得られる。回転切削工具１０の軸穴１３には連結軸部材５５が挿嵌されており、４つの単位切削工具１１Ａ〜１１Ｃが離れないように両端から締め付けられている。回転切削工具１０は、基準切削工具１１Ａを回転駆動装置（図示しない）側に配置して、軸穴１３を回転駆動装置の回転主軸に挿嵌させることにより取り付けられる。回転切削工具１０を回転駆動装置の回転主軸に取り付けた状態で回転させることにより、取付溝２５に装着された遠心固定板４１が、回転の遠心力を受けて径方向外方に移動して、その両面により裏座３６と取付溝２５の第２側壁２７の間に食い込んだ状態で固定される。それに伴い、遠心固定板４１の側面から押圧力を受けて、裏座３６を介して替刃３１が取付溝２５の第１側壁２６に押し付けられて位置決めされた状態で取付溝２５に強固に固定される。その結果、本実施例においては、替刃３１は、簡易にかつ精度良く取付溝２５内に取り付けられる。
【００２１】
上記のように構成した実施例においては、回転切削工具１０は複数の単位切削工具１１Ａ〜１１Ｃを互いに同軸的に重ね合わせて形成されるものであり、そのために単位切削工具１１Ａ〜１１Ｃの軸方向長さを短くしても、工具１０の全長を長くできる。その結果、本実施例によれば、長さの短い平板状の替刃３１を用いても取付溝２５の捩れを大きくとることができるので、全長の長い回転切削工具１０でも、切削の際の切削抵抗や切削騒音を小さくできると共に切削面の平滑度を良好にすることができる。また、複数の単位切削工具１１Ａ〜１１Ｃを軸方向に重ね合わせることにより回転切削工具１０が形成されるので、１回の切削による切削面積の大きさに応じて単位切削工具１１Ａ〜１１Ｃの数を変えることにより、回転切削工具１０の長さを自由に調節することができる。また、替刃３１は、取付溝２５の捩れを大きくとった場合には、長さが短いほど簡易に製造でき安価に提供されるので、長さの長い回転切削工具１０に複数の替刃３１を用いても、一つの長い替刃を用いる場合に比べて替刃の価格を相対的に安価にすることができる。
【００２２】
さらに、本実施例においては、回転切削工具１０の軸方向一端側に配置された基準切削工具１１Ａ以外の中間切削工具１１Ｂ及び他端切削工具１１Ｃについては、その外周面に隣接する単位切削工具の取付溝２５の延長方向に伸びて替刃３１を受け入れ可能とする交換溝５１を設けたことにより、替刃３１の交換時に単位切削工具１１Ａ〜１１Ｃを一々取り外すことなく、回転駆動装置の回転主軸に回転切削工具１０を取り付けたままで替刃３１の交換を行うことができる。すなわち、遠心力によって取付溝２５に固定された替刃３１の遠心固定板４１による固定を解除し、替刃３１を取付溝２５に沿ってスライドさせて取付溝２５に続く交換溝５１に移動させることにより、交換溝５１にて替刃３１を径方向外側から簡単に取り外すことができる。その結果、本実施例においては、替刃３１の交換の手間が大幅に低減する。
【００２３】
また、本実施例においては、回転胴１２Ａ〜１２Ｃの軸方向端部は、取付溝２５を挟んだ周方向の所定範囲が軸方向にわずかに突出した突出部２３となっており、突出部２３同士の間が相対的に凹んだ凹み部２４となっている。これにより、隣接する各単位切削工具１１Ａ〜１１Ｃは、突出部２３と凹み部２４を組み合わせて重ね合わせることができ、そのため、軸方向端部で両単位切削工具の替刃３１の端部の重なり部分を設けることができるので、切削の連続性を確保することができる。さらに、本実施例において、替刃３１の切刃３２は長手方向両端間で幅方向外方に円弧状に膨らんで形成されており、替刃３１の端部が他の部分より切削半径がわずかに小さくなるようにされているので、隣接する各単位切削工具の替刃３１同士の境界がスムーズに繋げられ、被削材の切削面に無用の筋が生じる不具合が避けられる。
【００２４】
なお、上記実施例においては、中間切削工具と他端切削工具について、その軸方向一端側（基準切削工具側の端部）と隣接する単位切削工具に設けた取付溝の延長方向に延びた交換溝を設けているが、これに代えて、基準切削工具と中間切削工具に、その軸方向他端側（他端切削工具側の端部）と隣接する単位切削工具に設けた取付溝の延長方向に延びた交換溝を設けることもできる。さらに、上記両方向に延びた交換溝を併せて設けることもできる。また、上記実施例においては、回転切削工具は、４個の単位切削工具を繋ぎ合わせたものであるが、これに限らず、２個以上の必要個数の単位切削工具を選んで繋ぎ合わせることができる。また、各単位切削工具についても、取付溝は３本に限らず２本以上の任意の数とすることができる。その他、上記実施例に示した回転切削工具については一例であり、本発明の趣旨を逸脱しない範囲で種々変更して実施することが可能である。
【産業上の利用可能性】
【００２５】
本発明によれば、回転切削工具は複数の単位切削工具を互いに同軸的に重ね合わせて形成されるもので、全長を長くしても切削の際の切削抵抗や切削騒音を小さくできると共に切削面の平滑度を良好にすることができ、また、基準となる単位切削工具以外の他の単位切削工具に取換え溝を設けたことにより、替刃の交換時に単位切削工具を一々取り外すことなく回転駆動装置の回転主軸に回転切削工具を取り付けたままで替刃の交換を行うことができるので、替刃交換の手間が大幅に低減するので、有用である。
【図面の簡単な説明】
【００２６】
【図１】本発明の一実施例である回転切削工具を示す斜視図である。
【図２】回転切削工具を示す正面図である。
【図３】回転切削工具を構成する基準切削工具を示す正面図である。
【図４】回転切削工具を構成する基準切削工具を示す左側面図である。
【図５】回転切削工具を構成する基準切削工具を示す右側面図である。
【図６】回転切削工具を構成する基準切削工具を示す左側から見た斜視図である。
【図７】回転切削工具を構成する基準切削工具を示す右側から見た斜視図である。
【図８】回転切削工具の取付溝を詳細に示す拡大正面図である。
【図９】回転切削工具の取付溝に装着される替刃を詳細に示す正面図である。
【図１０】替刃を示す背面図である。
【図１１】替刃を示す平面図である。
【図１２】替刃を示す図９のＭ−Ｍ線方向の断面図である。
【図１３】替刃を示す斜視図である。
【図１４】回転切削工具を構成する中間切削工具を示す正面図である。
【図１５】中間切削工具を示す左側面図である。
【図１６】中間切削工具を示す右側面図である。
【図１７】中間切削工具を示す左側から見た斜視図である。
【図１８】中間切削工具を示す右側から見た斜視図である。
【図１９】回転切削工具を構成する他端切削工具を示す正面図である。
【図２０】他端切削工具を示す左側面図である。
【図２１】他端切削工具を示す右側面図である。
【図２２】他端切削工具を示す左側から見た斜視図である。
【図２３】他端切削工具を示す右側から見た斜視図である。
【符号の説明】
【００２７】
１０…回転切削工具、１１Ａ…基準切削工具、１１Ｂ…中間切削工具、１１Ｃ…他端切削工具、１２Ａ〜１２Ｃ…回転胴、２５…取付溝、２６…第１側壁、２７…第２側壁、２８…底壁、３１…替刃、３２…切刃、３６…裏座、４１…遠心固定板、５１…交換溝。
【図１】
2008284791.tif 000003
【図２】
2008284791.tif 000004
【図３】
2008284791.tif 000005
【図４】
2008284791.tif 000006
【図５】
2008284791.tif 000007
【図６】
2008284791.tif 000008
【図７】
2008284791.tif 000009
【図８】
2008284791.tif 000010
【図９】
2008284791.tif 000011
【図１０】
2008284791.tif 000012
【図１１】
2008284791.tif 000013
【図１２】
2008284791.tif 000014
【図１３】
2008284791.tif 000015
【図１４】
2008284791.tif 000016
【図１５】
2008284791.tif 000017
【図１６】
2008284791.tif 000018
【図１７】
2008284791.tif 000019
【図１８】
2008284791.tif 000020
【図１９】
2008284791.tif 000021
【図２０】
2008284791.tif 000022
【図２１】
2008284791.tif 000023
【図２２】
2008284791.tif 000024
【図２３】
2008284791.tif 000025